(57)【要約】      （修正有）【課題】広画角、大口径、小型軽量で全ズーム範囲に渡り高い光学性能を有するズームレンズ及びそれを有する撮像装置を提供する。【解決手段】ズームレンズは、物体側から像側へ順に、変倍のためには移動しない負の第１群Ｌ１、変倍に際して移動する正の第２群Ｌ２、変倍に際して移動するレンズ群を含む２群以上のレンズ群を含む後群を含む最終群を有し、変倍時、前記第１、２群、及び前記後群のレンズ群のうち隣接するレンズ群の間隔が変化し、第１群Ｌ１の最も物体側に負レンズが配置され、第１群は２枚以上の負レンズ、１枚以上の正レンズを有し、後群の最も像側に配置された最終群は正レンズ、負レンズを有し、第２群Ｌ２より像側に開口絞りを有し、第１群Ｌ１の焦点距離、ズームレンズの広角端の焦点距離、広角端における開口絞りから最終群の最も像側の面までの距離、広角端における最終群の最も像側の面から像面までの距離を適切に設定する。【選択図】図１
2018189766.tif 000002
【特許請求の範囲】
【請求項１】
物体側から像側へ順に、変倍のためには移動しない負の屈折力を有する第１レンズ群、変倍に際して移動する正の屈折力を有する第２レンズ群、変倍に際して移動するレンズ群を含む２群以上のレンズ群を含む後群を有し、変倍に際して、前記第１レンズ群、前記第２レンズ群、前記後群を構成するレンズ群、のうち隣接するレンズ群の間隔が変化するように構成されたズームレンズにおいて、
前記第１レンズ群は最も物体側に負レンズを有し、前記第１レンズ群は正レンズ及び２枚以上の負レンズを有し、前記後群の中で最も像側に配置された最終レンズ群は正レンズ及び負レンズを有し、
前記第２レンズ群より像側に開口絞りを有し、
前記第１レンズ群の焦点距離をｆ１、前記ズームレンズの広角端の焦点距離をｆｗ、広角端における前記開口絞りから前記最終レンズ群の最も像側の面までの距離をｄ、広角端における前記最終レンズ群の最も像側の面から像面までの距離をＢＦとしたとき、
−５．０＜ｆ１／ｆｗ＜−１．５
０．１０＜ＢＦ／ｄ＜０．４５
なる条件式を満たすことを特徴とするズームレンズ。
【請求項２】
前記第１レンズ群は、フォーカシングに際して移動するレンズ群を含むことを特徴とする請求項１に記載のズームレンズ。
【請求項３】
前記後群の最も物体側のレンズ群である第３レンズ群は正の屈折力のレンズ群であり、前記第３レンズ群は変倍に際して移動することを特徴とする請求項１又は２に記載のズームレンズ。
【請求項４】
前記第１レンズ群、前記第２レンズ群、前記第３レンズ群の焦点距離をそれぞれｆ１、ｆ２、ｆ３とするとき、
−１．０＜ｆ１×（ｆ２＋ｆ３）／（ｆ２×ｆ３）＜−０．３
なる条件式を満たすことを特徴とする請求項３に記載のズームレンズ。
【請求項５】
前記第２レンズ群、前記第３レンズ群の焦点距離をそれぞれｆ２、ｆ３とするとき、
０．４＜ｆ２／ｆ３＜２．０
なる条件式を満たすことを特徴とする請求項３又は４に記載のズームレンズ。
【請求項６】
前記第１レンズ群は物体側から像側へ順に、第１の負レンズ、第２の負レンズを有することを特徴とする請求項１乃至５のいずれか１項に記載のズームレンズ。
【請求項７】
請求項１乃至６のいずれか１項に記載のズームレンズと、前記ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、デジタルスチルカメラ、銀塩写真用カメラ等に好適なものである。
【背景技術】
【０００２】
近年、テレビカメラや映画用カメラ、写真用カメラ等の撮像装置には、小型軽量で、広画角かつ高変倍比で高い光学性能を有したズームレンズが要望されている。特に、プロフェッショナルの動画撮影システムとしてのテレビ・映画用カメラに用いられているＣＣＤやＣＭＯＳ等の撮像デバイスは、撮像範囲全体が略均一の解像力を有している。そのため、これを用いるズームレンズに対しては、画面中心から画面周辺まで解像力が略均一であることが要求されている。また、機動性や操作性を重視した撮影形態に対して小型軽量化も要求されている。
【０００３】
一方、広角端の焦点距離の短い広角レンズを用いると、広大な範囲を撮影することができ、遠近感の強調が可能となる。その撮影効果を利用したいユーザーからは、より広角で高変倍比、小型軽量、高性能の広角ズームレンズの要望が高い。
【０００４】
広角ズームレンズとして、最も物体側に負の屈折力のレンズ群を配置し、全体として４つ以上のレンズ群により構成されるネガティブリード型のズームレンズが知られている。例えば、特許文献１では、変倍比１．２程度、広角端の画角１００°〜１１０°程度であり、物体側から順に、負の第１レンズ群、正の第２レンズ群、正の第３レンズ群、後群を有したズームレンズが開示されている。第１レンズ群は変倍時に固定、少なくとも第２レンズ群、第３レンズ群が変倍時に移動する構成となっている。また、特許文献２では、変倍比１．２程度、広角端の画角５０°程度であり、物体側から順に、負の第１レンズ群、正の第２レンズ群、正の第３レンズ群、負の第４レンズ群、正の第５レンズ群から構成されるズームレンズが開示されている。
【先行技術文献】
【特許文献】
【０００５】
【特許文献１】特開２００８−３０４７６５号公報
【特許文献２】特開２００４−１３３３３８号公報
【発明の概要】
【発明が解決しようとする課題】
【０００６】
しかしながら、特許文献１、２に開示されているズームレンズでは、各レンズ群の屈折力やレンズ構成が更なる広角化と大口径化の両立に対して不利であり、広角化に伴うレンズ径の大型化や大口径化に伴う全長の増大を抑制させることが困難となる。特に、広角端の画角が１００度を超えてくると、レンズ径の大型化と変倍群の移動量の増加の傾向が顕著となる。
【０００７】
そこで、本発明は、各レンズ群の屈折力やレンズ構成、そして収差分担等を適切に設定することにより、広画角、大口径、小型軽量で全ズーム範囲に渡り高い光学性能を有するズームレンズの提供を目的とする。具体的には、広角端の画角１００〜１２０度程度、変倍比１．５〜２．５程度、Ｆナンバーが１．４〜２．８程度の小型軽量で、高性能なズームレンズの提供を目的とする。
【課題を解決するための手段】
【０００８】
上記目的を達成するために、本発明のズームレンズ及びそれを有する撮像装置は、物体側から像側へ順に、変倍のためには移動しない負の屈折力を有する第１レンズ群、変倍に際して移動する正の屈折力を有する第２レンズ群、変倍に際して移動するレンズ群を含む２群以上のレンズ群を含む後群を有し、変倍に際して、前記第１レンズ群、前記第２レンズ群、前記後群を構成するレンズ群、のうち隣接するレンズ群の間隔が変化するように構成されたズームレンズにおいて、前記第１レンズ群は最も物体側に負レンズを有し、前記第１レンズ群は正レンズ及び２枚以上の負レンズを有し、前記後群の中で最も像側に配置された最終レンズ群は正レンズ及び負レンズを有し、前記第２レンズ群より像側に開口絞りを有し、前記第１レンズ群の焦点距離をｆ１、前記ズームレンズの広角端の焦点距離をｆｗ、広角端における前記開口絞りから前記最終レンズ群の最も像側の面までの距離をｄ、広角端における前記最終レンズ群の最も像側の面から像面までの距離をＢＦとしたとき、
−５．０＜ｆ１／ｆｗ＜−１．５
０．１０＜ＢＦ／ｄ＜０．４５
なる条件式を満たすことを特徴とする。
【発明の効果】
【０００９】
各レンズ群の屈折力やレンズ構成、そして収差分担等を適切に設定することにより、広画角、大口径、小型軽量で全ズーム範囲に渡り高い光学性能を有するズームレンズが得られる。
【図面の簡単な説明】
【００１０】
【図１】数値実施例１の広角端において無限遠合焦時のレンズ断面図
【図２】数値実施例１の広角端（ａ）、ズーム中間（ｂ）、望遠端（ｃ）で無限遠合焦時の収差図
【図３】数値実施例２の広角端において無限遠合焦時のレンズ断面図
【図４】数値実施例２の広角端（ａ）、ズーム中間（ｂ）、望遠端（ｃ）で無限遠合焦時の収差図
【図５】数値実施例３の広角端において無限遠合焦時のレンズ断面図
【図６】数値実施例３の広角端（ａ）、ズーム中間（ｂ）、望遠端（ｃ）で無限遠合焦時の収差図
【図７】数値実施例４の広角端において無限遠合焦時のレンズ断面図
【図８】数値実施例４の広角端（ａ）、ズーム中間（ｂ）、望遠端（ｃ）で無限遠合焦時の収差図
【図９】数値実施例５の広角端において無限遠合焦時のレンズ断面図
【図１０】数値実施例５の広角端（ａ）、ズーム中間（ｂ）、望遠端（ｃ）で無限遠合焦時の収差図
【図１１】数値実施例６の広角端において無限遠合焦時のレンズ断面図
【図１２】数値実施例６の広角端（ａ）、ズーム中間（ｂ）、望遠端（ｃ）で無限遠合焦時の収差図
【図１３】数値実施例１のズームレンズの広角端（ａ）、ズーム中間（ｂ）、望遠端（ｃ）における光路図
【図１４】本発明の撮像装置の要部概略図
【発明を実施するための形態】
【００１１】
以下に、本発明の好ましい実施の形態を、添付の図面に基づいて詳細に説明する。
まず、本発明のズームレンズの特徴について、各条件式に沿って説明する。本発明のズームレンズは、広画角、大口径、小型軽量で全ズーム範囲に渡り高い光学性能を達成するために、第１レンズ群の焦点距離と広角端の焦点距離の比、開口絞りから最終レンズ群の最終面までの距離とバックフォーカスの比を規定することを特徴とする。
【００１２】
本発明のズームレンズ及びそれを有する撮像装置は、物体側から像側へ順に、変倍のためには移動しない負の屈折力を有する第１レンズ群、変倍に際して移動する正の屈折力を有する第２レンズ群、変倍に際して移動するレンズ群を含む２群以上のレンズ群を含む後群を有し、変倍に際して、前記第１レンズ群、前記第２レンズ群、前記後群を構成するレンズ群、のうち隣接するレンズ群の間隔が変化するように構成されたズームレンズにおいて、前記第１レンズ群は最も物体側に負レンズを有し、前記第１レンズ群は正レンズ及び２枚以上の負レンズを有し、前記後群の中で最も像側に配置された最終レンズ群は正レンズ及び負レンズを有し、前記第２レンズ群より像側に開口絞りを有し、前記第１レンズ群の焦点距離をｆ１、前記ズームレンズの広角端の焦点距離をｆｗ、広角端における前記開口絞りから前記最終レンズ群の最も像側の面までの距離をｄ、広角端における前記最終レンズ群の最も像側の面から像面までの距離をＢＦとしたとき、
−５．０＜ｆ１／ｆｗ＜−１．５  ・・・（１）
０．１０＜ＢＦ／ｄ＜０．４５  ・・・（２）
を満たしている。
【００１３】
本発明において、変倍時に固定の負の屈折力の第１レンズ群、変倍時に移動する正の屈折力の第２レンズ群を有し、第１レンズ群の焦点距離を適切に設定することによる光学的作用に関して説明する。
【００１４】
図１３は、本発明の実施例１の広角端（ａ）、ズーム中間（ｂ）、望遠端（ｃ）における光路図を示している。Ｌ１〜Ｌ５は、それぞれ第１レンズ群〜第５レンズ群を表している。図１３の光路図からわかるように、本発明の実施例は、広角端では第１レンズ群に対して第２レンズ群は離れており、望遠端で第１レンズ群に対して第２レンズ群が近づく軌跡となっている。広角端において、負の屈折力の第１レンズ群と正の屈折力の第２レンズ群が離れて配置されるため、入射瞳位置を物体側に配置することができる。そのため、広角化と小型軽量の両立に有利な構成となっている。
【００１５】
また、図１３の望遠端の光路図からわかるように、第２レンズ群のレンズ径は、望遠端の軸上マージナル光線で決定されているため、更なる大口径化を図ると、第２レンズ群のレンズ径が大きくなる。そこで、第１レンズ群の焦点距離を長くすることにより、第２レンズ群に入射する発散光束の角度を小さくすることが可能になるため、第２レンズ群のレンズ径の増大を抑制することが可能となる。一方、第１レンズ群の焦点距離を長くすると、レトロ比が低くなるため、ズームレンズのバックフォーカスが短くなる傾向がある。このように、本発明では、第１レンズ群の焦点距離を適切に設定することにより、大口径化と小型軽量化及びバックフォーカスの確保を達成している。
【００１６】
さらに、第１レンズ群は２枚以上の負レンズと１枚以上の正レンズを有することを特徴としている。第１レンズ群は負の屈折力を有しているが、広角化のために、最も物体側には負レンズを配置し、第１レンズ群で発生する色収差を抑制するために、少なくとも２枚以上の負レンズと１枚以上の正レンズが必要となる。また、最終レンズ群は軸外光線が光軸から離れた位置を通過するため、特に広角端における倍率色収差を良好に補正するためには、１枚以上の正レンズ、１枚以上の負レンズが必要となる。
【００１７】
さらに、前述の（１）〜（２）式を満たすことで、広画角、大口径、小型軽量で全ズーム範囲に渡り高い光学性能を効果的に達成することが可能となる。
【００１８】
（１）式は、第１レンズ群の焦点距離と広角端の焦点距離の比を規定している。（１）式を満たすことで、ズームレンズの広角化と小型軽量の両立を達成している。（１）式の上限の条件が満たされないと、第１レンズ群の屈折力が弱くなり、レトロ比が低くなるため、ズームレンズのバックフォーカスを確保することが困難となる。また、第２レンズ群の物点が遠ざかるため、変倍に伴う第２レンズ群の移動量が増大し、ズームレンズの小型軽量化が困難となる。（１）式の下限の条件が満たされないと、第１レンズ群の屈折力が強くため、変倍に伴う収差変動や合焦に伴う収差変動の補正が困難となる。更に好ましくは、（１）式は次の如く設定するのが良い。
−４．０＜ｆ１／ｆｗ＜−１．７  ・・・（１ａ）
【００１９】
また、（２）式は、広角端における開口絞りから最終レンズ群の最も像側の面までの距離と広角端における最終レンズ群の最も像側の面から像面までの距離の比を規定している。（２）式を満たすことで、適切なバックフォーカスを確保している。（２）式の上限の条件が満たされないと、バックフォーカスを長く確保する必要があるため、第１レンズ群の屈折力を強くする必要がある、そのため、第２レンズ群のレンズ径が大きくなり、ズームレンズの小型軽量化が困難となる。（２）式の下限の条件が満たされないと、バックフォーカスが短く過ぎるため、ズームレンズと撮像装置の間にローパスフィルタ等の光学フィルタを配置することが困難となる。更に好ましくは、（２）式は次の如く設定するのが良い。
０．１５＜ＢＦ／ｄ＜０．４２  ・・・（２ａ）
【００２０】
更なる本発明のズームレンズの態様として、第１レンズ群は、フォーカシングの際に移動するレンズ群を含むことを特徴とする。第１レンズ群の一部でフォーカシングを行う構成とすることで、変倍に依らず、フォーカシングの繰り出し量を一定とすることができ、駆動機構の簡略化や、フォーカスレンズ群の小型化に有利な構成となる。
【００２１】
更なる本発明のズームレンズの態様として、後群の最も物体側のレンズ群である第３レンズ群は正の屈折力であり、変倍時に移動することを特徴とする。変倍時に第２レンズ群と第３レンズ群を同時に移動させることにより、変倍に伴う収差変動、特にズーム中間の球面収差や像面湾曲を効果的に抑制することが可能となる。
【００２２】
更なる本発明のズームレンズの態様として、第２レンズ群の焦点距離をｆ２、第３レンズ群の焦点距離をｆ３としたとき、
−１．０＜ｆ１×（ｆ２＋ｆ３）／（ｆ２×ｆ３）＜−０．３  ・・・（３）
を満たしている。（３）式の（ｆ２×ｆ３）／（ｆ２＋ｆ３）は、第２レンズ群と第３レンズ群の合成焦点距離に相当する数値であり、（３）式は、第１レンズ群の焦点距離と、第２レンズ群と第３レンズ群の合成焦点距離との比を規定している。（３）式を満たすことで、ズームレンズの収差変動の補正を達成している。（３）式の上限の条件が満たされないと、第１レンズ群の屈折力が強くなり、変倍に伴う収差変動や合焦に伴う収差変動の補正が困難となる。（３）式の下限の条件が満たされないと、第２レンズ群と第３レンズ群の合成焦点距離が短くなるため、変倍に伴う収差変動の補正が困難となる。更に好ましくは、（３）式は次の如く設定するのが良い。
−０．９＜ｆ１×（ｆ２＋ｆ３）／（ｆ２×ｆ３）＜−０．４  ・・・（３ａ）
【００２３】
更なる本発明のズームレンズの態様として、第２レンズ群と第３レンズ群の焦点距離の比を規定している。第２レンズ群、第３レンズ群の焦点距離をｆ２、ｆ３としたとき、
０．４＜ｆ２／ｆ３＜２．０  ・・・（４）
を満たしている。（４）式を満たすことで、変倍による球面収差やコマ収差、像面湾曲の変動を良好に補正することができる。（４）式の上限が満たされないと、第２レンズ群の屈折力が相対的に弱くなり、第３レンズ群に入射する光線高が高くなることで、変倍による球面収差の変動を抑制することが困難となる。（４）式の下限が満たされないと、第３レンズ群の屈折力が相対的に弱くなり、第２レンズ群との間隔を変化させることによる球面収差や像面湾曲の変動を補正する効果が小さくなるため、変倍による収差変動を抑制することが困難となる。更に好ましくは、（４）式は次の如く設定するのが良い。
０．５＜ｆ２／ｆ３＜１．５  ・・・（４ａ）
【００２４】
更なる本発明のズームレンズの態様として、第１レンズ群は物体側から順に第１の負レンズ、第２の負レンズを有することを特徴とする。第１レンズ群は物体側から連続して２枚の負レンズを有することにより、第１レンズ群の物体側主点を物体側に設定することができ、広角化と小型軽量化の両立を効果的に達成することが可能となる。
【００２５】
さらに、本発明の撮像装置は、各実施例のズームレンズとズームレンズによって形成された像を受光する所定の有効撮像範囲を有する固体撮像素子を有することを特徴とする。
【００２６】
以下に本発明のズームレンズの具体的な構成について、実施例１〜６に対応する数値実施例１〜６のレンズ構成の特徴により説明する。
【実施例１】
【００２７】
図１は本発明の実施例１（数値実施例１）であるズームレンズにおいて、広角端で無限遠に合焦しているときのレンズ断面図である。図２において、（ａ）は数値実施例１の広角端、（ｂ）は数値実施例１の焦点距離１７．１６ｍｍ、（ｃ）は数値実施例１の望遠端の縦収差図を示している。いずれの収差図も、無限遠に合焦しているときの縦収差図である。また、焦点距離の値は、後述する数値実施例をｍｍ単位で表したときの値である。これは以下の数値実施例においても、全て同じである。
【００２８】
図１において、物体側から順に、合焦用の負の屈折力の第１レンズ群Ｌ１を有している。さらに、広角端から望遠端への変倍に際して、物体側へ移動する変倍用の正の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する負の屈折力の第４レンズ群Ｌ４を有している。さらに、変倍のためには移動しない結像作用をする正の屈折力の第５レンズ群Ｌ５を有している。本実施例では、第２レンズ群Ｌ２、第３レンズ群Ｌ３、第４レンズ群Ｌ４で変倍系を構成している。ＳＰは開口絞りであり、第３レンズ群Ｌ３と第４レンズ群Ｌ４の間に配置されている。また、開口絞りは変倍に際して光軸方向に不動であり、変倍に応じて開口径を変更することで、所定のＦナンバーを保つことが可能となる。本実施例において、後群は第３レンズ群Ｌ３〜第５レンズ群Ｌ５に対応する。Ｉは像面であり、放送用テレビカメラ、ビデオカメラ、デジタルスチルカメラの撮像光学系として使用する際には、ズームレンズで形成された像を受光し、光電変換する固体撮像素子（光電変換素子）等の撮像面に相当している。フィルム用カメラの撮像光学系として使用する際には、ズームレンズで形成された像が感光するフィルム面に相当する。
【００２９】
縦収差図において、球面収差における直線と二点鎖線は各々ｅ線、ｇ線である。非点収差における点線と実線は各々メリディオナル像面、サジタル像面であり、倍率色収差における二点鎖線はｇ線である。ωは半画角、ＦｎｏはＦナンバーである。縦収差図では、球面収差は０．４ｍｍ、非点収差は０．４ｍｍ、歪曲は５％、倍率色収差は０．１ｍｍのスケールで描かれている。なお、以下の各実施例において広角端と望遠端は、変倍用の第２レンズ群Ｌ２が機構に対して光軸上を移動可能な範囲の両端に位置したときのズーム位置を指す。
【００３０】
次に、本実施例における第１レンズ群Ｌ１について説明する。第１レンズ群Ｌ１は第１面から第１０面に対応する。第１レンズ群Ｌ１は、合焦時に移動しない負の屈折力の第１１レンズ群Ｌ１１、無限遠側から至近側への合焦時に像側へ移動する正の屈折力の第１２レンズ群Ｌ１２から構成される。第２レンズ群Ｌ２は、第１１面から第１４面に、第３レンズ群Ｌ３は、第１５面から第１７面に、第４レンズ群Ｌ４は、第１９面から第２３面に対応している。第５レンズ群Ｌ５は、第２４面から第３１面に対応する。第１レンズ群Ｌ１は、凸レンズと凹レンズを含み、全体として５個のレンズから成っている。第２レンズ群Ｌ２は、凸レンズと凹レンズを含み全体として２個のレンズ、第３レンズ群Ｌ３は、凸レンズと凹レンズを含み全体として２個のレンズ、第４レンズ群Ｌ４は、凸レンズと凹レンズを含み全体として３個のレンズから成っている。また、第５レンズ群Ｌ５は、凸レンズと凹レンズを含み全体として５個のレンズから成っている。
【００３１】
上記実施例１に対応する数値実施例１について説明する。数値実施例１に限らず全数値実施例において、ｉは物体側からの面（光学面）の順序を示し、ｒｉは物体側より第ｉ番目の面の曲率半径、ｄｉは物体側より第ｉ番目の面と第ｉ＋１番目の面の間隔（光軸上）を示している。また、ｎｄｉ、νｄｉは、第ｉ番目の面と第ｉ＋１番目の面との間の媒質（光学部材）の屈折率、アッベ数、部分分散比を、ＢＦは空気換算のバックフォーカスを表している。非球面形状は光軸方向にＸ軸、光軸と垂直方向にＨ軸、光の進行方向を正とし、Ｒを近軸曲率半径、ｋを円錐常数、Ａ４、Ａ６、Ａ８、Ａ１０、Ａ１２をそれぞれ非球面係数としたとき、次式で表している。また、「ｅ−Ｚ」は「×１０−Ｚ」を意味する。
【数１】
2018189766.tif 000003
【００３２】
本実施例の各条件式対応値を表１に示す。本実施例は（１）〜（４）式を満足しており、広角端における撮影画角（画角）１１４．２°、変倍比１．５、Ｆナンバー１．４と広角化且つ大口径化の両立を達成している。且つズーム全域において諸収差を良好に補正した高い光学性能と小型軽量化を両立したズームレンズを達成している。しかしながら、本発明のズームレンズは、（１）、（２）式を満足することは必須であるが、（３）、（４）式については満足していなくても構わない。但し、（３）、（４）式について少なくとも１つでも満足していれば更に良い効果を奏することができる。これは他の実施例についても同様である。
【００３３】
図１４は各実施例のズームレンズを撮影光学系として用いた撮像装置（テレビカメラシステム）の概略図である。図１２において１０１は実施例１〜５のいずれかのズームレンズである。１２４はカメラである。ズームレンズ１０１はカメラ１２４に対して着脱可能となっている。１２５はカメラ１２４にズームレンズ１０１を装着することで構成される撮像装置である。ズームレンズ１０１は第１レンズ群Ｆ、変倍部ＬＺ、結像用の第４レンズ群Ｒを有している。第１レンズ群Ｆは合焦用レンズ群が含まれている。変倍部ＬＺはズーミングのために光軸上を移動する第２レンズ群、第３レンズ群、ズーミングに伴う像面変動を補正するために光軸上を移動する第４レンズ群が含まれている。ＳＰは開口絞りである。１１４、１１５は各々第１レンズ群Ｆ、変倍部ＬＺを光軸方向に駆動するヘリコイドやカム等の駆動機構である。１１６〜１１８は駆動機構１１４、１１５及び開口絞りＳＰを電動駆動するモータ（駆動手段）である。１１９〜１２１は、第１レンズ群Ｆや変倍部ＬＺの光軸上の位置や、開口絞りＳＰの絞り径を検出するためのエンコーダやポテンショメータ、あるいはフォトセンサ等の検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。
【００３４】
このように、本発明のズームレンズをテレビカメラに適用することにより、高い光学性能を有する撮像装置を実現している。
【実施例２】
【００３５】
図３は本発明の実施例２（数値実施例２）であるズームレンズにおいて、広角端で無限遠に合焦しているときのレンズ断面図である。図４において、（ａ）は数値実施例２の広角端、（ｂ）は数値実施例２の焦点距離１８．３４ｍｍ、（ｃ）は数値実施例２の望遠端の縦収差図を示している。いずれの収差図も、無限遠に合焦しているときの縦収差図である。
【００３６】
図３において、物体側から順に、合焦用の負の屈折力の第１レンズ群Ｌ１を有している。さらに、広角端から望遠端への変倍に際して、物体側へ移動する変倍用の正の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する負の屈折力の第４レンズ群Ｌ４を有している。さらに、変倍のためには移動しない結像作用をする正の屈折力の第５レンズ群Ｌ５を有している。本実施例では、第２レンズ群Ｌ２、第３レンズ群Ｌ３、第４レンズ群Ｌ４で変倍系を構成している。ＳＰは開口絞りであり、第３レンズ群Ｌ３と第４レンズ群Ｌ４の間に配置されている。また、開口絞りは変倍に際して光軸方向に不動であり、変倍に応じて開口径を変更することで、所定のＦナンバーを保つことが可能となる。本実施例において、後群は第３レンズ群Ｌ３〜第５レンズ群Ｌ５に対応する。
【００３７】
次に、本実施例における第１レンズ群Ｌ１について説明する。第１レンズ群Ｌ１は第１面から第８面に対応する。第１レンズ群Ｌ１は、合焦時に移動しない負の屈折力の第１１レンズ群Ｌ１１、無限遠側から至近側への合焦時に像側へ移動する正の屈折力の第１２レンズ群Ｌ１２から構成される。第２レンズ群Ｌ２は、第９面から第１２面に、第３レンズ群Ｌ３は、第１３面から第１５面に、第４レンズ群Ｌ４は、第１７面から第２１面に対応している。第５レンズ群Ｌ５は、第２２面から第２９面に対応する。第１レンズ群Ｌ１は、凸レンズと凹レンズを含み、全体として４個のレンズから成っている。第２レンズ群Ｌ２は、凸レンズと凹レンズを含み全体として２個のレンズ、第３レンズ群Ｌ３は、凸レンズと凹レンズを含み全体として２個のレンズ、第４レンズ群Ｌ４は、凸レンズと凹レンズを含み全体として３個のレンズから成っている。また、第５レンズ群Ｌ５は、凸レンズと凹レンズを含み全体として５個のレンズから成っている。
【００３８】
本実施例の各条件式対応値を表１に示す。本実施例は（１）〜（４）式を満足しており、広角端における撮影画角（画角）１１４．２°、変倍比１．７１、Ｆナンバー１．８と広角化且つ大口径化の両立を達成している。且つズーム全域において諸収差を良好に補正した高い光学性能と小型軽量化を両立したズームレンズを達成している。
【実施例３】
【００３９】
図５は本発明の実施例３（数値実施例３）であるズームレンズにおいて、広角端で無限遠に合焦しているときのレンズ断面図である。図６において、（ａ）は数値実施例３の広角端、（ｂ）は数値実施例３の焦点距離１５．４８ｍｍ、（ｃ）は数値実施例３の望遠端の縦収差図を示している。いずれの収差図も、無限遠に合焦しているときの縦収差図である。
【００４０】
図５において、物体側から順に、合焦用の負の屈折力の第１レンズ群Ｌ１を有している。さらに、広角端から望遠端への変倍に際して、物体側へ移動する変倍用の正の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する負の屈折力の第４レンズ群Ｌ４を有している。さらに、変倍のためには移動しない結像作用をする正の屈折力の第５レンズ群Ｌ５を有している。本実施例では、第２レンズ群Ｌ２、第３レンズ群Ｌ３、第４レンズ群Ｌ４で変倍系を構成している。ＳＰは開口絞りであり、第３レンズ群Ｌ３と第４レンズ群Ｌ４の間に配置されている。また、開口絞りは変倍に際して光軸方向に不動であり、変倍に応じて開口径を変更することで、所定のＦナンバーを保つことが可能となる。本実施例において、後群は第３レンズ群Ｌ３〜第５レンズ群Ｌ５に対応する。
【００４１】
次に、本実施例における第１レンズ群Ｌ１について説明する。第１レンズ群Ｌ１は第１面から第１２面に対応する。第１レンズ群Ｌ１は、合焦時に移動しない負の屈折力の第１１レンズ群Ｌ１１、無限遠側から至近側への合焦時に像側へ移動する正の屈折力の第１２レンズ群Ｌ１２から構成される。第２レンズ群Ｌ２は、第１３面から第１５面に、第３レンズ群Ｌ３は、第１６面から第２０面に、第４レンズ群Ｌ４は、第２２面から第２６面に対応している。第５レンズ群Ｌ５は、第２７面から第３４面に対応する。第１レンズ群Ｌ１は、凸レンズと凹レンズを含み、全体として６個のレンズから成っている。第２レンズ群Ｌ２は、凸レンズと凹レンズを含み全体として２個のレンズ、第３レンズ群Ｌ３は、凸レンズと凹レンズを含み全体として３個のレンズ、第４レンズ群Ｌ４は、凸レンズと凹レンズを含み全体として３個のレンズから成っている。また、第５レンズ群Ｌ５は、凸レンズと凹レンズを含み全体として５個のレンズから成っている。
【００４２】
本実施例の各条件式対応値を表１に示す。本実施例は（１）〜（４）式を満足しており、広角端における撮影画角（画角）１２２．０°、変倍比１．６７、Ｆナンバー２．０と広角化且つ大口径化の両立を達成している。且つズーム全域において諸収差を良好に補正した高い光学性能と小型軽量化を両立したズームレンズを達成している。
【実施例４】
【００４３】
図７は本発明の実施例４（数値実施例４）であるズームレンズにおいて、広角端で無限遠に合焦しているときのレンズ断面図である。図８において、（ａ）は数値実施例４の広角端、（ｂ）は数値実施例４の焦点距離２２．６４ｍｍ、（ｃ）は数値実施例２の望遠端の縦収差図を示している。いずれの収差図も、無限遠に合焦しているときの縦収差図である。
【００４４】
図７において、物体側から順に、合焦用の負の屈折力の第１レンズ群Ｌ１を有している。さらに、広角端から望遠端への変倍に際して、物体側へ移動する変倍用の正の屈折力の第２レンズ群Ｌ２、物体側へ移動する正の屈折力の第３レンズ群Ｌ３、像側へ移動する負の屈折力の第４レンズ群Ｌ４を有している。さらに、第２レンズ群Ｌ２、第３レンズ群Ｌ３、第４レンズ群の移動に連動して、変倍に伴う像面変動を補正する正の屈折力の第５レンズ群Ｌ５を有している。本実施例では、第２レンズ群Ｌ２、第３レンズ群Ｌ３、第４レンズ群Ｌ４、第５レンズ群Ｌ５で変倍系を構成している。ＳＰは開口絞りであり、第３レンズ群Ｌ３と第４レンズ群Ｌ４の間に配置されている。また、開口絞りは変倍に際して光軸方向に不動であり、変倍に応じて開口径を変更することで、所定のＦナンバーを保つことが可能となる。本実施例において、後群は第３レンズ群Ｌ３〜第５レンズ群Ｌ５に対応する。
【００４５】
次に、本実施例における第１レンズ群Ｌ１について説明する。第１レンズ群Ｌ１は第１面から第１０面に対応する。第１レンズ群Ｌ１は、合焦時に移動しない負の屈折力の第１１レンズ群Ｌ１１、無限遠側から至近側への合焦時に像側へ移動する正の屈折力の第１２レンズ群Ｌ１２から構成される。第２レンズ群Ｌ２は、第１１面から第１５面に、第３レンズ群Ｌ３は、第１６面から第１７面に、第４レンズ群Ｌ４は、第１９面から第２１面に対応している。第５レンズ群Ｌ５は、第２２面から第２９面に対応する。第１レンズ群Ｌ１は、凸レンズと凹レンズを含み、全体として５個のレンズから成っている。第２レンズ群Ｌ２は、凸レンズと凹レンズを含み全体として３個のレンズ、第３レンズ群Ｌ３は、１個の凸レンズ、第４レンズ群Ｌ４は、凸レンズと凹レンズを含み全体として２個のレンズから成っている。また、第５レンズ群Ｌ５は、凸レンズと凹レンズを含み全体として５個のレンズから成っている。
【００４６】
本実施例の各条件式対応値を表１に示す。本実施例は（１）〜（４）式を満足しており、広角端における撮影画角（画角）１０７．０°、変倍比２、Ｆナンバー２．８と広角化且つ大口径化の両立を達成している。且つズーム全域において諸収差を良好に補正した高い光学性能と小型軽量化を両立したズームレンズを達成している。
【実施例５】
【００４７】
図９は本発明の実施例５（数値実施例５）であるズームレンズにおいて、広角端で無限遠に合焦しているときのレンズ断面図である。図１０において、（ａ）は数値実施例５の広角端、（ｂ）は数値実施例５の焦点距離１７．１３ｍｍ、（ｃ）は数値実施例５の望遠端の縦収差図を示している。いずれの収差図も、無限遠に合焦しているときの縦収差図である。
【００４８】
図９において、物体側から順に、合焦用の負の屈折力の第１レンズ群Ｌ１を有している。さらに、広角端から望遠端への変倍に際して、物体側へ移動する変倍用の正の屈折力の第２レンズ群Ｌ２を有している。さらに、第２レンズ群Ｌ２の移動に連動して光軸上を非直線的に移動し、変倍に伴う像面変動を補正する正の屈折力の第３レンズ群Ｌ３を有している。本実施例では、第２レンズ群Ｌ２、第３レンズ群Ｌ３で変倍系を構成している。さらに、変倍のためには移動しない結像作用をする正の屈折力の第４レンズ群Ｌ４を有している。ＳＰは開口絞りであり、第２レンズ群Ｌ２と第３レンズ群Ｌ３の間に配置されている。また、開口絞りは変倍に際して光軸方向に不動であり、変倍に応じて開口径を変更することで、所定のＦナンバーを保つことが可能となる。本実施例において、後群は第３レンズ群Ｌ３と第４レンズ群Ｌ４に対応する。
【００４９】
次に、本実施例における第１レンズ群Ｌ１について説明する。第１レンズ群Ｌ１は第１面から第１０面に対応する。第１レンズ群Ｌ１は、合焦時に移動しない負の屈折力の第１１レンズ群Ｌ１１、無限遠側から至近側への合焦時に像側へ移動する正の屈折力の第１２レンズ群Ｌ１２から構成される。第２レンズ群Ｌ２は、第１１面から第１７面に、第３レンズ群Ｌ３は、第１９面から第２１面に、第４レンズ群Ｌ４は、第２２面から第２９面に対応している。第１レンズ群Ｌ１は、凸レンズと凹レンズを含み、全体として５個のレンズから成っている。第２レンズ群Ｌ２は、凸レンズと凹レンズを含み全体として４個のレンズ、第３レンズ群Ｌ３は、凸レンズと凹レンズを含み全体として２個のレンズ、第４レンズ群Ｌ４は、凸レンズと凹レンズを含み全体として５個のレンズから成っている。
【００５０】
本実施例の各条件式対応値を表１に示す。本実施例は（１）、（２）式を満足しており、広角端における撮影画角（画角）１１４．２°、変倍比１．４９、Ｆナンバー１．８と広角化且つ大口径化の両立を達成している。且つズーム全域において諸収差を良好に補正した高い光学性能と小型軽量化を両立したズームレンズを達成している。
【実施例６】
【００５１】
図１１は本発明の実施例６（数値実施例６）であるズームレンズにおいて、広角端で無限遠に合焦しているときのレンズ断面図である。図１１において、（ａ）は数値実施例６の広角端、（ｂ）は数値実施例６の焦点距離１９．５９ｍｍ、（ｃ）は数値実施例６の望遠端の縦収差図を示している。いずれの収差図も、無限遠に合焦しているときの縦収差図である。
【００５２】
図１１において、物体側から順に、合焦用の負の屈折力の第１レンズ群Ｌ１を有している。さらに、広角端から望遠端への変倍に際して、物体側へ移動する変倍用の正の屈折力の第２レンズ群Ｌ２、物体側へ移動する正の屈折力の第３レンズ群Ｌ３を有している。さらに、第２レンズ群Ｌ２、第３レンズ群Ｌ３の移動に連動して光軸上を非直線的に移動し、変倍に伴う像面変動を補正する負の屈折力の第４レンズ群Ｌ４を有している。さらに、変倍のためには移動しない結像作用をする正の屈折力の第５レンズ群Ｌ５を有している。本実施例では、第２レンズ群Ｌ２、第３レンズ群Ｌ３、第４レンズ群Ｌ４で変倍系を構成している。ＳＰは開口絞りであり、第４レンズ群Ｌ４と第５レンズ群Ｌ５の間に配置されている。また、開口絞りは変倍に際して光軸方向に不動である。本実施例において、後群は第３レンズ群Ｌ３〜第５レンズ群Ｌ５に対応する。
【００５３】
次に、本実施例における第１レンズ群Ｌ１について説明する。第１レンズ群Ｌ１は第１面から第１０面に対応する。第１レンズ群Ｌ１は、合焦時に移動しない負の屈折力の第１１レンズ群Ｌ１１、無限遠側から至近側への合焦時に像側へ移動する正の屈折力の第１２レンズ群Ｌ１２から構成される。第２レンズ群Ｌ２は、第１１面から第１４面に、第３レンズ群Ｌ３は、第１５面から第１７面に、第４レンズ群Ｌ４は、第１８面から第２０面に対応している。第５レンズ群Ｌ５は、第２２面から第２９面に対応する。第１レンズ群Ｌ１は、凸レンズと凹レンズを含み、全体として５個のレンズから成っている。第２レンズ群Ｌ２は、凸レンズと凹レンズを含み全体として２個のレンズ、第３レンズ群Ｌ３は、凸レンズと凹レンズを含み全体として２個のレンズ、第４レンズ群Ｌ４は、凸レンズと凹レンズを含み全体として２個のレンズから成っている。また、第５レンズ群Ｌ５は、凸レンズと凹レンズを含み全体として５個のレンズから成っている。
【００５４】
本実施例の各条件式対応値を表１に示す。本実施例は（１）〜（４）式を満足しており、広角端における撮影画角（画角）１０７．０°、変倍比１．５、Ｆナンバー２．０と広角化且つ大口径化の両立を達成している。且つズーム全域において諸収差を良好に補正した高い光学性能と小型軽量化を両立したズームレンズを達成している。
【００５５】
以上、本発明の好ましい実施形態について説明したが、本発明はこれらの実施形態に限定されず、その要旨の範囲内で種々の変形及び変更が可能である。
【００５６】
<数値実施例１>
単位 mm
面データ
面番号i      ri       di     ndi        vdi      有効径
1*     -1131.690    2.70   1.59522    67.7       85.90
2         31.420   20.29                         56.68
3*      1551.909    2.00   1.76385    48.5       54.58
4*        33.027   13.21                         47.57
5        -78.000    1.50   1.43875    94.7       47.61
6         92.253    0.25                         49.67
7         83.942    8.99   1.72047    34.7       50.10
8       -101.185    1.44                         50.25
9       -277.435    4.82   1.49700    81.5       49.36
10        -78.762  (可変)                         49.15
11         53.661    1.80   1.83481    42.7       47.72
12         42.337    2.42                         46.96
13         48.693   10.05   1.49700    81.5       48.50
14       -184.474  (可変)                         48.66
15        130.661    1.00   2.00069    25.5       48.54
16         49.810   12.72   1.59522    67.7       47.63
17        -69.113  (可変)                         47.71
18(絞り)    ∞     (可変)                         40.56
19        -50.774    1.00   1.83481    42.7       34.79
20        154.583    5.16   1.85478    24.8       35.38
21       -144.528    0.20                         35.72
22         40.497    3.50   1.72047    34.7       35.69
23         53.317  (可変)                         34.77
24         37.240    5.58   1.69680    55.5       32.19
25       7770.823    0.18                         32.09
26         40.086    1.00   2.00100    29.1       31.77
27         26.081    5.68   1.49700    81.5       30.53
28         96.751    8.23                         30.20
29        190.651    6.31   1.43875    94.7       29.49
30        -30.564    1.00   2.00330    28.3       29.27
31*      -106.779   16.44                         30.30
像面        ∞   
非球面データ
第1面
K = 0.00000e+000  A 4= 5.68409e-006  A 6=-4.26817e-009  A 8= 2.69205e-012  A10=-9.63497e-016  A12= 1.60310e-019  
第3面
K = 0.00000e+000  A 4=-2.32989e-006  A 6=-1.65965e-009  A 8= 1.45223e-012  
第4面
K = 0.00000e+000  A 4= 2.23324e-007  A 6=-9.73277e-009  A 8= 4.16561e-012  
第31面
K = 0.00000e+000  A 4= 1.48109e-005  A 6= 1.39561e-008  
【００５７】
各種データ
ズーム比      1.50 
広角     中間     望遠
焦点距離      14.00    17.16    20.99  
Fナンバー      1.40     1.40     1.40  
半画角        57.09    51.58    45.87  
像高          21.64    21.64    21.64  
レンズ全長   205.52   205.52   205.52  
BF            16.44    16.44    16.44  
d10           40.40    22.76     5.82  
d14            1.44    13.41    24.34  
d17            1.72     7.39    13.40  
d18            7.29    11.86    23.31  
d23           17.20    12.63     1.19  
入射瞳位置    28.84    29.51    30.81  
射出瞳位置   -54.94   -54.19   -50.81  
前側主点位置  40.09    42.50    45.24  
後側主点位置   2.44    -0.72    -4.54  
ズームレンズ群データ
群  始面    焦点距離  レンズ構成長  前側主点位置  後側主点位置
1    1     -39.89        55.20        -1.78        -66.41
2   11     112.78        14.27         4.85         -5.43
3   15     123.11        13.72         8.53          0.04
4   19    -189.00         9.86        -1.83         -7.27
5   24      61.00        27.97       -10.66        -27.09
【００５８】
<数値実施例２>
単位 mm
面データ
面番号i      ri       di     ndi        vdi      有効径
1*     -1519.138    2.70   1.59522    67.7       85.17
2         29.226   22.06                         54.65
3*      -272.380    2.00   1.76385    48.5       53.21
4*        46.303    9.80                         47.62
5        -98.698    1.50   1.43875    94.7       47.61
6         97.105    6.72                         48.55
7        140.761    8.80   1.83481    42.7       51.11
8        -75.299  (可変)                         51.22
9         48.243    1.80   1.83400    37.2       41.21
10         40.448    1.44                         40.54
11         49.044    8.74   1.49700    81.5       40.78
12       -164.027  (可変)                         40.85
13        248.623    1.00   2.00069    25.5       37.65
14         46.595    9.40   1.59522    67.7       37.15
15        -55.776  (可変)                         37.32
16(絞り)    ∞     (可変)                         31.42
17        -42.090    1.00   1.77250    49.6       27.85
18         50.150    4.39   1.85478    24.8       28.55
19       -289.985    0.20                         28.74
20         37.692    3.00   1.58913    61.1       29.05
21         80.145  (可変)                         28.71
22         45.538    4.63   1.58913    61.1       26.15
23       -198.459    3.06                         25.99
24         47.509    5.32   1.49700    81.5       26.77
25        -86.918    1.00   2.00100    29.1       26.53
26        425.166   10.04                         26.55
27*       162.269    1.00   2.00330    28.3       27.26
28         35.142    6.39   1.43875    94.7       27.84
29       -102.051   17.11                         29.35
像面        ∞   
非球面データ
第1面
K = 0.00000e+000  A 4= 5.99331e-006  A 6=-4.25857e-009  A 8= 2.67299e-012  A10=-9.63497e-016  A12= 1.60310e-019  
第3面
K = 0.00000e+000  A 4=-3.60309e-006  A 6= 2.72952e-009  A 8=-8.82936e-013  
第4面
K = 0.00000e+000  A 4= 3.04462e-007  A 6=-1.84398e-009  A 8= 1.73204e-012  
第27面
K = 0.00000e+000  A 4=-1.50000e-005  A 6=-1.61834e-008  
【００５９】
各種データ
ズーム比      1.71 
広角     中間     望遠
焦点距離      14.00    18.34    23.98  
Fナンバー      1.80     1.80     1.80  
半画角        57.09    49.71    42.06  
像高          21.64    21.64    21.64  
レンズ全長   206.22   206.22   206.22  
BF            17.11    17.11    17.11  
d 8           50.13    25.53     2.83  
d12            1.29    22.66    34.86  
d15            1.52     4.75    15.26  
d16            5.87    11.32    19.11  
d21           14.29     8.84     1.05  
入射瞳位置    28.85    29.93    32.42  
射出瞳位置   -54.97   -54.59   -53.24  
前側主点位置  40.13    43.58    48.23  
後側主点位置   3.11    -1.23    -6.87  
ズームレンズ群データ
群  始面    焦点距離  レンズ構成長  前側主点位置  後側主点位置
1    1     -45.00        53.59        -5.68        -78.48
2    9     100.90        11.98         3.00         -5.42
3   13     160.96        10.40        10.34          4.20
4   17    -209.08         8.59        -4.70         -9.81
5   22      66.74        31.43        -6.80        -29.45
【００６０】
<数値実施例３>
単位 mm
面データ
面番号i      ri       di     ndi        vdi      有効径
1*         ∞       2.70   1.59522    67.7       86.33
2         30.535   18.11                         55.60
3*       289.493    2.00   1.76385    48.5       53.94
4         33.429    8.71                         45.46
5        326.427    2.00   1.49700    81.5       45.37
6*        39.271    5.92                         44.35
7         62.343    1.80   1.76385    48.5       44.83
8         42.242    3.48                         43.82
9         54.974    6.88   1.72047    34.7       44.86
10      -2125.730    2.60                         44.63
11       -195.368    4.73   1.49700    81.5       44.32
12        -63.133  (可変)                         44.18
13         43.554    1.80   1.80100    35.0       40.86
14         28.955   10.75   1.48749    70.2       38.65
15       -132.276  (可変)                         38.04
16        136.928    1.00   1.85026    32.3       31.74
17         35.842    7.85   1.51633    64.1       31.22
18        -68.653    0.46                         31.32
19        -90.895    2.71   1.58913    61.1       31.15
20        -58.589  (可変)                         31.17
21(絞り)    ∞     (可変)                         27.96
22        -45.429    1.00   1.75500    52.3       23.31
23         41.503    4.81   1.85478    24.8       24.72
24        262.380    0.20                         26.27
25         42.999    3.00   1.58913    61.1       28.84
26        138.452  (可変)                         29.21
27         27.988    5.65   1.69680    55.5       32.60
28         85.233    0.39                         32.08
29         30.380    1.00   2.00100    29.1       31.46
30         18.798    7.73   1.49700    81.5       29.09
31         93.752    7.33                         28.72
32        207.470    7.40   1.43875    94.7       27.85
33        -21.995    1.00   2.00330    28.3       27.58
34*       -55.431   14.09                         29.35
像面        ∞   
非球面データ
第1面
K = 0.00000e+000  A 4= 5.43555e-006  A 6=-4.14303e-009  A 8= 2.67173e-012  A10=-9.63497e-016  A12= 1.60310e-019  
第3面
K = 0.00000e+000  A 4= 1.53414e-006  A 6=-6.01425e-009  A 8= 2.93270e-012  
第6面
K = 0.00000e+000  A 4= 7.64829e-007  A 6=-1.62389e-008  A 8= 6.70235e-012  
第34面
K = 0.00000e+000  A 4= 2.33583e-005  A 6= 1.33381e-008  
【００６１】
各種データ
ズーム比      1.67 
広角     中間     望遠
焦点距離      12.00    15.48    19.98  
Fナンバー      2.00     2.00     2.00  
半画角        60.98    54.41    47.27  
像高          21.64    21.64    21.64  
レンズ全長   208.36   208.36   208.36  
BF            14.09    14.09    14.09  
d12           43.96    23.68     4.20  
d15            1.43    21.74    34.85  
d20            1.74     1.71     8.08  
d21            5.25    13.32    23.15  
d26           18.89    10.83     1.00  
入射瞳位置    27.40    28.19    29.81  
射出瞳位置   -54.98   -53.31   -49.44  
前側主点位置  37.31    40.11    43.51  
後側主点位置   2.09    -1.39    -5.90  
ズームレンズ群データ
群  始面    焦点距離  レンズ構成長  前側主点位置  後側主点位置
1    1     -32.93        58.92         0.90        -67.94
2   13      89.42        12.55         1.77         -6.66
3   16     122.57        12.02         9.51          1.76
4   22    -130.43         9.01        -1.97         -7.24
5   27      59.42        30.49       -11.31        -29.11
【００６２】
<数値実施例４>
単位 mm
面データ
面番号i      ri       di     ndi        vdi      有効径
1*       108.830    2.50   1.59522    67.7       69.92
2         26.510   14.65                         49.40
3*        74.806    2.00   1.76385    48.5       47.83
4         28.523   11.06                         40.28
5        -95.259    1.20   1.59522    67.7       39.99
6         92.755    0.16                         39.31
7         47.277    4.59   1.65412    39.7       39.45
8        118.076    4.83                         38.84
9       -104.459    3.97   1.49700    81.5       38.38
10        -50.015  (可変)                         38.22
11        109.552    1.44   1.80610    40.9       27.60
12         30.550    6.35   1.49700    81.5       28.01
13       -130.887    0.20                         28.79
14         55.530    3.60   1.59522    67.7       30.11
15        352.983  (可変)                         30.19
16       -155.430    4.33   1.59522    67.7       32.61
17        -43.811  (可変)                         32.91
18(絞り)    ∞     (可変)                         29.25
19        -43.825    0.80   1.83481    42.7       23.66
20         66.625    3.41   1.85478    24.8       24.11
21       -190.845  (可変)                         24.34
22         42.020    7.16   1.69680    55.5       35.37
23       -121.749    0.16                         35.39
24         46.253    8.36   1.43875    94.7       34.44
25        -49.942    1.00   2.00100    29.1       33.64
26        -93.675    8.70                         33.51
27*      -417.142    1.00   2.00330    28.3       28.78
28         28.690    7.90   1.43875    94.7       28.49
29       -167.074  (可変)                         29.91
像面        ∞   
非球面データ
第1面
K = 0.00000e+000  A 4= 4.12668e-006  A 6=-1.28702e-009  A 8= 6.90662e-013  
第3面
K = 0.00000e+000  A 4=-2.66548e-006  A 6= 9.84939e-011  A 8= 8.87587e-013  
第27面
K = 0.00000e+000  A 4=-1.17463e-005  A 6=-5.95569e-009  A 8= 1.32060e-011  
【００６３】
各種データ
ズーム比      2.00 
広角     中間     望遠
焦点距離      16.00    22.64    32.00  
Fナンバー      2.80     2.80     2.80  
半画角        53.52    43.70    34.07  
像高          21.64    21.64    21.64  
レンズ全長   194.29   194.29   194.29  
BF            25.08    26.32    30.92  
d10           32.93    17.21     5.01  
d15            3.25    13.61    20.81  
d17            1.73     7.09    12.09  
d18            2.95    13.71    24.97  
d21           28.97    16.96     1.10  
d29           25.08    26.32    30.92  
入射瞳位置    28.74    29.29    30.21  
射出瞳位置   -66.57   -57.96   -41.41  
前側主点位置  41.95    45.85    48.06  
後側主点位置   9.08     3.69    -1.07  
ズームレンズ群データ
群  始面    焦点距離  レンズ構成長  前側主点位置  後側主点位置
1    1     -30.04        44.96         6.60        -35.02
2   11      97.76        11.59         5.41         -2.07
3   16     100.67         4.33         3.72          1.05
4   19     -71.00         4.21        -0.74         -3.04
5   22      47.97        34.28       -13.79        -31.20
【００６４】
<数値実施例５>
単位 mm
面データ
面番号i      ri       di     ndi        vdi      有効径
1*      -257.940    2.70   1.59522    67.7       87.83
2         32.767   17.94                         57.97
3*        70.169    2.00   1.76385    48.5       54.82
4*        29.249    8.90                         46.49
5        158.026    1.50   1.43875    94.7       46.05
6         51.762    3.27                         44.81
7         40.163    4.92   1.72047    34.7       45.07
8         53.298    9.62                         43.69
9        -70.798    4.87   1.48749    70.2       43.30
10        -40.500  (可変)                         43.40
11         55.407    1.80   1.69680    55.5       34.69
12         38.375    4.07                         34.49
13         46.990    5.44   1.51742    52.4       37.09
14        115.547    1.44                         37.42
15         45.756    1.00   2.00100    29.1       38.85
16         34.088   11.37   1.49700    81.5       38.09
17        -76.244  (可変)                         38.20
18(絞り)    ∞     (可変)                         32.79
19        -45.719    1.00   1.77250    49.6       27.80
20       -494.807    2.91   1.85478    24.8       28.28
21        -84.749  (可変)                         28.58
22         36.673    6.41   1.69680    55.5       32.48
23      -1075.313    0.21                         32.45
24         36.050    1.00   2.00100    29.1       32.27
25         21.831    8.25   1.49700    81.5       30.53
26      -3033.122   10.02                         30.38
27       -110.408    7.07   1.43875    94.7       29.31
28        -20.770    1.00   2.00330    28.3       29.32
29*       -47.424   18.49                         31.82
像面        ∞   
非球面データ
第1面
K = 0.00000e+000  A 4= 6.51538e-006  A 6=-4.46467e-009  A 8= 2.75219e-012  A10=-9.63497e-016  A12= 1.60310e-019  
第3面
K = 0.00000e+000  A 4=-1.43243e-005  A 6= 1.00026e-008  A 8=-2.38817e-012  
第4面
K = 0.00000e+000  A 4=-1.29775e-005  A 6= 6.43493e-009  A 8=-1.36678e-013  
第29面
K = 0.00000e+000  A 4= 1.04130e-005  A 6=-9.06947e-009  
【００６５】
各種データ
ズーム比      1.49 
広角     中間     望遠
焦点距離      14.00    17.13    20.89  
Fナンバー      1.80     1.80     1.80  
半画角        57.09    51.63    46.01  
像高          21.64    21.64    21.64  
レンズ全長   194.38   194.38   194.38  
BF            18.49    18.49    18.49  
d10           27.71    16.27     6.92  
d17            2.30    13.73    23.08  
d18            6.08    12.59    25.47  
d21           21.10    14.59     1.71  
入射瞳位置    28.08    28.47    29.15  
射出瞳位置   -60.91   -59.65   -54.24  
前側主点位置  39.61    41.85    44.03  
後側主点位置   4.49     1.36    -2.40  
ズームレンズ群データ
群  始面    焦点距離  レンズ構成長  前側主点位置  後側主点位置
1    1     -34.38        55.72         2.12        -56.10
2   11      69.24        25.13        12.45         -6.25
3   19    -151.45         3.91        -3.26         -5.50
4   22      50.35        33.95       -10.22        -30.00
【００６６】
<数値実施例６>
単位 mm
面データ
面番号i      ri       di     ndi        vdi      有効径
1*      -297.926    2.70   1.59522    67.7       86.45
2         30.973   20.02                         56.74
3*       132.571    2.00   1.76385    48.5       54.64
4*        31.946   12.28                         47.59
5        -96.653    1.50   1.43875    94.7       47.60
6         59.355    2.90                         49.30
7         70.403    8.94   1.72047    34.7       51.05
8       -152.535    2.07                         51.15
9       -119.266    4.30   1.49700    81.5       50.91
10        -66.451  (可変)                         50.99
11         58.644    1.80   1.83481    42.7       45.96
12         41.485    1.27                         44.46
13         45.734    9.97   1.49700    81.5       44.64
14       -115.188  (可変)                         44.26
15        108.417    1.00   2.00069    25.5       38.68
16         46.131   10.29   1.49700    81.5       38.05
17        -51.211  (可変)                         38.18
18        -49.483    1.00   1.72916    54.7       29.42
19         63.632    3.95   1.85478    24.8       29.80
20       -505.507  (可変)                         29.88
21(絞り)    ∞       1.50                         29.90
22         40.039    4.56   1.76385    48.5       29.98
23        328.677   13.69                         29.32
24         39.317    1.00   2.00100    29.1       21.44
25         17.864    4.82   1.49700    81.5       20.02
26        211.556   15.04                         19.43
27         49.278    7.37   1.51633    64.1       33.14
28       -121.221    1.00   1.88300    40.8       33.82
29*      7541.940   20.15                         34.34
像面        ∞   
非球面データ
第1面
K = 0.00000e+000  A 4= 6.58174e-006  A 6=-4.45074e-009  A 8= 2.73176e-012  A10=-9.63497e-016  A12= 1.60310e-019  
第3面
K = 0.00000e+000  A 4=-9.75163e-006  A 6= 6.98782e-009  A 8=-1.80467e-012  
第4面
K = 0.00000e+000  A 4=-8.13193e-006  A 6= 4.21547e-009  A 8=-1.47372e-012  
第29面
K = 0.00000e+000  A 4= 4.50393e-006  A 6=-8.96863e-009  
【００６７】
各種データ
ズーム比      1.50 
広角     中間     望遠
焦点距離      16.00    19.59    23.99  
Fナンバー      2.00     2.00     2.00  
半画角        53.52    47.84    42.04  
像高          21.64    21.64    21.64  
レンズ全長   209.14   209.14   209.14  
BF            20.15    20.15    20.15  
d10           35.82    21.07     6.85  
d14            1.45    16.98    21.39  
d17            4.50    12.39    24.60  
d20           12.27     3.60     1.19  
入射瞳位置    28.97    29.98    31.76  
射出瞳位置   -49.98   -49.98   -49.98  
前側主点位置  41.32    44.10    47.54  
後側主点位置   4.15     0.55    -3.85  
ズームレンズ群データ
群  始面    焦点距離  レンズ構成長  前側主点位置  後側主点位置
1    1     -37.14        56.71        -0.94        -65.69
2   11     107.11        13.04         4.66         -4.43
3   15     123.73        11.29         8.23          0.89
4   18     -91.22         4.95        -0.53         -3.24
5   21      57.58        48.97        10.10        -37.73
【００６８】
表１：各数値実施例の各条件式対応値
【表１】
2018189766.tif 000004
【符号の説明】
【００６９】
Ｌ１：第１レンズ群
Ｌ２：第２レンズ群
Ｌ３：第３レンズ群（後群）
Ｌ４：第４レンズ群（後群）
Ｌ５：第５レンズ群（後群）
【図１】
2018189766.tif 000005
【図２】
2018189766.tif 000006
【図３】
2018189766.tif 000007
【図４】
2018189766.tif 000008
【図５】
2018189766.tif 000009
【図６】
2018189766.tif 000010
【図７】
2018189766.tif 000011
【図８】
2018189766.tif 000012
【図９】
2018189766.tif 000013
【図１０】
2018189766.tif 000014
【図１１】
2018189766.tif 000015
【図１２】
2018189766.tif 000016
【図１３】
2018189766.tif 000017
【図１４】
2018189766.tif 000018